(57)【要約】【課題】不使用時には切断刃が突出せず、かつテープ挿入口も閉鎖し、安全性が高いテープ切断具を提供する。【解決手段】本体に切断刃取付板を操作により移動可能に取り付けており、前記切断刃取付板の前記支持ピンを前記本体のガイド溝に移動自在に挿入し、前記切断刃取付板を左右方向および上下方向に移動させて、不使用時には切断刃を上昇させてテープ切断空間へ突出させないと共にテープ挿入口を切断刃取付板で閉鎖する一方、使用時には前記テープ挿入口を開口すると共に前記切断刃をテープ切断空間に突出させる構成としている。【選択図】図１
2015070989.tif 000002
【特許請求の範囲】
【請求項１】
本体に切断刃取付板を操作により移動可能に取り付けており、
前記本体は、把持部と、該把持部から突設する切断刃移動保持部と、該切断刃移動保持部の先端から屈折して突出するテープ挿入アーム部を連続して備え、前記切断刃移動保持部と前記把持部の外面との間にテープ切断空間を設けていると共に、該テープ切断空間と連続するテープ挿入口を前記テープ挿入アーム部の先端と前記把持部の外面との間に設け、かつ、前記切断刃移動保持部に縦溝と横溝とを連続させた倒Ｌ形状のガイド溝を設けている一方、
前記切断刃取付板は、縦板部と、横板部と、該横板部から上方へ突出する移動操作部と、該移動操作部の下部に突設した支持ピンを備え、かつ、前記横板部の下部に切断刃を取り付けており、
前記切断刃取付板の前記支持ピンを前記ガイド溝に移動自在に挿入し、前記切断刃取付板を左右方向および上下方向に移動させて、不使用時には切断刃を上昇させて前記テープ切断空間へ突出させないと共にテープ挿入口を切断刃取付板で閉鎖する一方、使用時には前記テープ挿入口を開口すると共に前記切断刃をテープ切断空間に突出させる構成としているテープ切断具。
【請求項２】
前記把持部を環状把持部とし、該環状把持部の一部から外径方向へ支持部を突出させた後に横向きに前記切断刃移動保持部を設け、該切断刃移動保持部の先端から内径方向へ前記テープ挿入アーム部を突出させ、前記環状把持部の外周面と切断刃移動保持部の内側縁との間に前記テープ切断空間を設けると共に、前記環状把持部の外周面と前記テープ挿入アーム部の先端との間に前記テープ挿入口を設けている請求項１に記載のテープ切断具。
【請求項３】
前記切断刃取付板と前記切断刃移動保持部との間にバネ材を介在させ、前記テープ切断空間に切断刃を突出させた位置および前記テープ挿入口が閉鎖される位置に前記切断刃取付板を前記バネ材で付勢している請求項１または請求項２に記載のテープ切断具。
【発明の詳細な説明】
【技術分野】
【０００１】
本発明はテープ切断具に関し、特に、ワイヤハーネス用テープとして汎用されている織布テープを切断するためのテープ切断具に関する。
【背景技術】
【０００２】
従来、車両用ワイヤハーネスを構成する電線群の結束用等として粘着テープが汎用されており、該粘着テープは巻き付け後に作業員が手で千切れるものが多い。これに対して、近時、耐摩耗性が良く、異音防止効果があり、且つ、見栄えが良い等の理由で、手で千切れない織布テープが汎用されている。該織布テープは、ＰＥＴ等の剛性を有する樹脂糸の織布からなる基材をゴム系の粘着剤に含浸して作成されている。該織布テープの基材の樹脂糸を手で千切れないため、テープ切断具を用いて切断する必要がある。
【０００３】
ワイヤハーネス組立工程で、テープの巻き付け作業は、ワイヤハーネスの幹線及び枝線の電線群をそれぞれ結束するため、電線群にクリップを取り付けるため、電線群の外周にジョイントコネクタを固着するため等の理由より、多数の箇所にテープ巻きがなされている。このテープを巻き付け終了後に切断するため、テープ切断具を作業員が手持ちして任意の位置に移動できるハンドタイプとする必要がある。
【０００４】
ハンドタイプのテープ切断具として、通常、図８（Ａ）（Ｂ）に示すテープ切断具が用いられている。該テープ切断具１００は作業員が持つ環状把持部１０１の一部から外径方向へ突出した後に周方向に屈折させた切断刃保持部１０２を設け、該切断刃保持部１０２の内面と環状把持部１０１の外周との間にテープ切断空間１０３を設けている。切断刃保持部１０２に切断刃１０５の上部をモールド固定し、該切断刃１０５の下部を前記テープ切断空間１０３に上方から突出させ、該テープ切断空間１０３に挿入したテープ２００を上向きに引っ張ると切断刃１０５で切断できるようにしている。また、切断刃保持部１０２の周方向の先端を環状把持部１０１側へ内径方向に屈曲してテープ挿入部１０６を設け、該テープ挿入部１０６の先端内面と環状把持部１０１の外周面の間に細幅としてテープ挿入口１１０を設け、該テープ挿入口１１０をテープ切断空間１０３へ連続させている。細幅としたテープ挿入口１１０からテープ２００を矢印で示すように、横入れしてテープ切断空間１０３に挿入している。
【０００５】
前記テープ切断具１００では、ワイヤハーネスの電線群にテープ２００を巻き付けた後に、テープ２００の切断位置をテープ切断具１００のテープ挿入口１１０にテープ幅方向の一端から他端へと横入れし、テープ切断空間１０３へ移動させた後にテープ２００を上向きに引っ張って切断している。
【０００６】
なお、この種のテープ切断具として、特開２００８−２３８３４５号公報で、切断刃が指に触れないようにした安全性が高い切断具が提供されている。しかしながら、該切断具はハンドタイプではないため、ワイヤハーネス用として多数箇所で用いられ、巻付作業後の切断位置へ移動させなければならない場合に、非常に使い勝手が悪い問題がある。
また、ハンドタイプのテープカッターとして、特開平１１−４９４１８号公報で、図９（Ａ）（Ｂ）に示す粘着テープコイル４００を収容すると共に、引き出した粘着テープをカッター４０１で切断するテープカッターが提供されている。しかしながら、ワイヤハーネスに巻き付ける粘着テープは長いため、粘着テープをテープカッター内に収容して引き出しながらワイヤハーネスに巻き付ける構成であると作業性が非常に悪くなる。よって、ワイヤハーネス用粘着テープの手持ち式カッターとしては不適である。
【先行技術文献】
【特許文献】
【０００７】
【特許文献１】特開２００８−２３８３４５号公報
【特許文献２】特開平１１−４９４１８号公報
【発明の概要】
【発明が解決しようとする課題】
【０００８】
前記図８に示す汎用されているハンドタイプのワイヤハーネス用のテープ切断具１００は、テープ挿入口１１０は細くされているが、不意な力が作用してテープや細径電線が押し込まれると、テープ挿入口１１０に連続するテープ切断空間１０３内に常時切断刃１０５が突出しているため、テープや電線が切断される恐れがある。かつ、比較的広いテープ挿入空間１０３に切断刃１０５が剥き出しの状態で突出しているため、作業者が不用意に指を入れて怪我する恐れがある。さらに、切断刃１０５の交換ができず使い捨てであるため、切断刃の切れ味が悪くなると、テープ切断具を廃棄しなければならず資源の無駄になる。
【０００９】
本発明は前記問題を解消し、テープ挿入口から不用意にテープや細径電線が入り込まないようにし、かつ、テープ挿入空間に切断刃を常時剥き出しにせず、さらに、切断刃の交換が容易にできるテープ切断具を提供することを課題としている。
【課題を解決するための手段】
【００１０】
前記課題を解決するため、本発明は、本体に切断刃取付板を操作により移動可能に取り付けており、
前記本体は、把持部と、該把持部から突設する切断刃移動保持部と、該切断刃移動保持部の先端から屈折して突出するテープ挿入アーム部を連続して備え、前記切断刃移動保持部と前記把持部の外面との間にテープ切断空間を設けていると共に、該テープ切断空間と連続するテープ挿入口を前記テープ挿入アーム部の先端と前記把持部の外面との間に設け、かつ、前記切断刃移動保持部に縦溝と横溝とを連続させた倒Ｌ形状のガイド溝を設けている一方、
前記切断刃取付板は、縦板部と、横板部と、該横板部から上方へ突出する移動操作部と、該移動操作部の下部に突設した支持ピンを備え、かつ、前記横板部の下部に切断刃を取り付けており、
前記切断刃取付板の前記支持ピンを前記ガイド溝に移動自在に挿入し、前記切断刃取付板を左右方向および上下方向に移動させて、不使用時には切断刃を上昇させて前記テープ切断空間へ突出させないと共にテープ挿入口を切断刃取付板で閉鎖する一方、使用時には前記テープ挿入口を開口すると共に前記切断刃をテープ切断空間に突出させる構成としているテープ切断具を提供している。
【００１１】
前記のように、切断刃を切断具の本体に固定せず、切断刃を固定した切断刃取付板を切断具の本体に移動可能に取り付けることにより、作業員の操作で切断刃取付板を移動させて、不使用時には切断刃を剥き出し状に突出させず、かつ、テープや電線が切断空間に挿入できないようにしている。よって、不用意なテープや電線の切断を防止でき、かつ、作業員の安全性も図ることができる。
【００１２】
詳しくは、例えば、本体では、前記把持部を環状把持部とし、該環状把持部の一部から外径方向へ支持部を突出させた後に横向きに前記切断刃移動保持部を設け、該切断刃移動保持部の先端から内径方向へ前記テープ挿入アーム部を突出させ、前記環状把持部の外周面と切断刃移動保持部の内側縁との間に前記テープ切断空間を設けると共に、前記環状把持部の外周面と前記テープ挿入アーム部の先端との間に前記テープ挿入口を設けている。
【００１３】
さらに、前記切断刃取付板と前記切断刃移動保持部との間にバネ材を介在させ、
常時、前記テープ挿入口が閉鎖される状態で、前記テープ切断空間に切断刃を突出させた状態に前記切断刃取付板を前記バネ材で付勢してもよい。
【００１４】
さらに、前記切断刃取付板に切断刃を交換自在に取り付けられる構成とすることが好ましい。
切断刃を取り付けた前記切断刃取付板はテープ切断具の本体から取り出し、切断刃を交換した後に、本体に装着できるものとしている。
【発明の効果】
【００１５】
前記のように、本発明によれば、テープ切断具の本体に切断刃を固定せず、切断刃取付板を本体に移動可能に取り付け、作業員の操作で切断刃取付板を移動させ、不使用時には切断刃をテープ切断空間に剥き出し状に突出させず、かつ、テープ挿入口を閉じてテープや電線の不用意な挿入を防止している。よって、テープや電線の不用意な切断を防止でき、かつ、作業員の安全性も図ることができる。
【図面の簡単な説明】
【００１６】
【図１】本発明の第１実施形態のテープ切断具を示し、（Ａ）は不使用時の斜視図、（Ｂ）は（Ａ）の状態の内部を示す斜視図、（Ｃ）は（Ｂ）から切断刃取付板を除いた状態の斜視図である。
【図２】前記テープ切断具の要部断面図である。
【図３】切断刃取付板の斜視図である。
【図４】ガイド溝と支持ピンの関係を示す説明図である。
【図５】テープ挿入口を開口した状態を示し、（Ａ）は斜視図、（Ｂ）は要部断面図である。
【図６】テープ切断空間に切断刃を突出した状態を示し、（Ａ）は斜視図、（Ｂ）は要部断面図である。
【図７】第２実施形態を示し、（Ａ）は斜視図、（Ｂ）は要部断面図、（Ｃ）は要部概略説明図である。
【図８】（Ａ）（Ｂ）は汎用されている従来例を示す図面である。
【図９】（Ａ）（Ｂ）は他の従来例を示す図面である。
【発明を実施するための形態】
【００１７】
以下、本発明のテープ切断具の実施形態を図１乃至図６を参照して説明する。
図１に示すように、テープ切断具１は切断刃の取付機構を除いて、前記図８に示す汎用されているテープ切断具と略同様な外形としている。
該テープ切断具１は、図１（Ａ）に示すように、左右対称の一対の本体１Ａと１Ｂを突き合わせて結合した構成とし、本体１Ａと１Ｂを対称形状としているため、図１（Ｂ）に示す本体１Ａ側で説明する。該左右一対の本体１Ａと１Ｂとは図２に示すように、対向して設けた一方のピン１Ａｒを他方のピン穴１Ｂｒに圧入し、他の箇所にロック結合部（図示せず）を設けて結合している。本体１Ａと１Ｂとは薄肉ヒンジを介して一体に成形してもよい。
【００１８】
各本体１Ａ、１Ｂは、作業員の手で把持する円環形状の環状把持部２と、該環状把持部２の一部から外径方向へ突出した支持部３と、該支持部３の側端上部より横向きに屈折させた平板状の切断刃移動保持部４（以下、移動保持部４と略称する）と、該刃移動保持部４の突出端から内径方向に屈折させたテープ挿入アーム部５とを連続して樹脂で一体成形している。前記移動保持部４は後述する切断刃取付板８を移動可能に保持する部分である。
【００１９】
前記移動保持部４の下端（内端）と環状把持部２の外周面の間にテープ切断空間６をあけている。また、前記テープ挿入アーム部５の先端は外側先端５ａより内側に円弧部５ｂに切り欠いた形状とし、該外側先端５ａおよび円弧部５ｂと前記環状把持部２の外周面の間に細幅としたテープ挿入口７を設け、該テープ挿入口７を前期テープ切断空間６に連続させている。
【００２０】
前記一対の本体１Ａ、１Ｂの前記移動保持部４およびテープ挿入アーム部５の対向面となる内面間に切断刃取付板８を移動可能に配置するため、略Ｌ形状に連続する浅底段部９を設けている。該浅底段部９は移動保持部４の中央上端にあたる位置に開口部９ａを設け、かつ、テープ挿入アーム部５の内面側の内側端および先端に開口部９ｂ、９ｃを設けている。一方、移動保持部４の下端は突出させて切断刃取付板８を摺動自在に支持する受け台４ｕとし、かつ、テープ挿入アーム部５の外側縁をストッパー部５ｓとして突出させている。
【００２１】
また、移動保持部４の浅底段部９にはガイド溝１０を凹設している。該ガイド溝１０は前記開口部９ａの下方に位置する倒Ｌ形状の深溝とし、縦溝１０ｂと、該縦溝１０ｂの上端から支持部３の方向に向かう横溝１０ｃを設けた形状としている。
【００２２】
前記切断刃取付板８は、図３に示すように、縦板部８ａの上端から図中右方向に突出する横板部８ｂを備え、該横板部８ｂの先端上面より移動操作部８ｃを突出させている。該移動操作部８ｃを前記開口部９ａを通して上方へ突出させ、作業員が操作できるようにしている。該移動操作部８ｃと横板部８ｂと交点位置に支持ピン部８ｐを両側へ突設している。該支持ピン８ｐを前記倒Ｌ形状の深底溝の縦溝１０ｂと横溝１０ｃに移動自在に挿入している。即ち、図４に示すように、切断刃取付板８は横溝１０ｃの横寸法Ｌ２だけ横移動でき、縦溝１０ｂの縦寸法Ｌ３だけ上下移動できるものとしている。
【００２３】
前記切断刃取付板８の横板部８ｂの下端に切断刃挿入固定部８ｄを設けている。該切断刃挿入固定部８ｄの長さは横板部８ｂの図中右端より突出すると共に縦板部８ａとは隙間をあけた寸法とし、厚さは横板部８ｂの２倍程度として両側に突出させ、下端面の幅方向の中央に長さ方向に連続する切断刃挿入溝８ｅを設けている。該切断刃挿入溝８ｅを挟む切断刃挿入固定部８ｄの下面を前記受け台４ｕ上に摺動自在に搭載している。切断刃挿入溝８ｅに挿入固定する長方形の薄い切断刃１５の下部を、図２に示すように、テープ切断時に受け台４ｕより下方へ突出させている。切断刃挿入溝８ｅに挿入する切断刃１５の上部は切断刃挿入溝８ｅを挟む他側に設けた止めピン穴にピンを挿入して切断刃１５を固定している。よって、ピンを外して、切断刃１５を交換できるようにしている。
【００２４】
前記切断刃１５を固定した切断刃取付板８は支持ピン８ｐを縦溝１０ｂと横溝１０ｃが連続する倒Ｌ形状の深底溝を移動可能に挿入して取り付けている。該切断刃取付板８を上方に突出した移動操作部８ｃを作業員が持って移動して、不使用時の状態および使用時の状態に移動させることができるようにしている。
【００２５】
図１は不使用時の状態を示している。この不使用時には、切断刃取付板８の支持ピン８ｐを上部の横溝１０ｃに位置させ、切断刃取付板８の全体を上側に位置させ、下端の切断刃１５を受け台４ｕより上方に位置させて、テープ切断空間６に切断刃１５を突出させていない。かつ、支持ピン８ｐを横溝１０ｃの先端の右端に移動させ、図４でＰ１に位置させて、切断刃取付板８を右寄り位置としている。該Ｐ１位置で、縦板部８ａの右側縁および下端がテープ挿入アーム部５の内側端および先端円弧部の下端からそれぞれ突出し、先端円弧部５ｂより突出した先端が環状把持部２の外周に接触し、テープ挿入口７を閉鎖する状態となる。
【００２６】
即ち、不使用時には、テープ切断空間６に切断刃１５を剥き出し状に突出させず、かつ、テープ挿入口７は切断刃取付板８の縦板部８ａの先端で閉鎖している。これにより、テープ切断空間に不用意に指が挟まれても切断刃１５で指を切ることはなく、かつ、テープ挿入口７を通ってテープや細い電線が入り込むのを防止できる。
【００２７】
手で千切れない織布テープからなるテープ２０を切断する際、前記図１（Ａ）（Ｂ）に示す不使用状態から図５（Ａ）（Ｂ）のテープ挿入位置をへて、図６（Ａ）（Ｂ）に示す切断状態とする。
【００２８】
即ち、まず、図５（Ａ）に示すように、移動操作部８ｃを持って図中矢印で示す左方向へ移動させて図４中でＰ２に位置させる。これにより、支持ピン８ｐは横溝１０ｃ中で左端に移動し、図５（Ａ）のテープ挿入位置に位置する。該Ｐ２位置で切断刃取付板８の縦板部８ａが図中左移動してテープ挿入アーム部５に隠れた状態となり、かつ、縦板部８ａの先端はテープ挿入アーム部５の下端より上方へ位置し、テープ挿入アーム部５と環状把持部との間に隙間をあけ、テープ挿入口７を開口する。よって、テープ２０をテープ挿入口７を通して横入れし、連続するテープ切断空間６に挿入することができる。
【００２９】
前記テープ挿入口７を通してテープ切断空間６にテープ２０を位置させた時には、まだ、テープ切断空間６に切断刃１５は剥き出し状態で突出していない。よって、テープ挿入作業時にテープ切断空間６に指を挟んでも、切断刃１５に接触して指に傷を負うことはない。
【００３０】
テープ切断空間６にテープ２０を配置した後、図６（Ａ）（Ｂ）に示すように、移動操作部８ｃを持って図中矢印で示すように、下方へ移動させる。これにより、支持ピン８ｐは縦溝１０ｂ内を移動し、下端で停止し、図４でＰ３に位置する。図６（Ｂ）に示すように、切断刃取付板８の下降で切断刃１５を下端を受け台４ｕより下降させ、テープ切断空間６へ突出させ、テープ切断位置とする。図６（Ｂ）に示すように、このテープ切断位置で切断刃取付板８の切断刃挿入固定部８ｄの下面が受け台４ｕ上に支持され、切断状態を安定して保持する。
この切断位置で、テープ切断空間６に挿入したテープ２０を上向きに引っ張ることで、切断刃１５によりテープ２０を切断する。
【００３１】
テープ切断後は、移動操作部８ｃを持って上昇させて支持ピン８ｐを縦溝１０ｂの上端のＰ２位置へ移動させ、ついで、右移動させて支持ピン８ｐを横溝１０ｃを右移動させて先端で停止してＰ１位置とし、前記図１（Ａ）（Ｂ）に示す不使用位置に戻す。
【００３２】
このように、本発明のテープ切断具１は、不使用時にはテープ切断空間６に切断刃１５を突出させないため、安全性の高いものとすることができる。また、不使用時にはテープ挿入口７を閉鎖しているため、不用意にテープや電線が入りこむことが防止できる。かつ、仮にテープや電線がテープ挿入口７を通ってテープ切断空間６に入りこんでも、テープ切断空間６には切断刃１５が突出していないため、テープや電線が切断されることはない。
【００３３】
図７（Ａ）〜（Ｃ）に第２実施形態を示す。
該第２実施形態では、前記図６に示す切断位置にしてテープを切断した後、作業員が移動操作部８ｃから手を離すと、自動的に前記図１に示す不使用位置に戻るようにバネ材を装着している。
【００３４】
具体的には、図７（Ａ）に示すように、前記深溝のガイド溝１０の縦溝１０ｂを挟んで横方向に延在する浅底の横溝１０ａを設けている。また、図７（Ｂ）に示すように、切断刃取付板８の横板部８ｂに厚肉部８ｋを設け、該厚肉部８ｋを前記横溝１０ａ内に移動自在に挿入し、該厚肉部８ｋの図中左端と横溝１０ａの左端との間にコイルバネ３１を縮装し、厚肉部８ｋを介して切断刃取付板８を常時矢印で示す右方向に付勢している。
また、横溝１０ａの下端に前記第１実施形態の受け台４ｕを設けずに、板バネ３２を取り付け、前記横板部８ｂの厚肉部８ｋの下端面を板バネ３２の上面に当接させている。これにより、板バネ３２で厚肉部８ｋを介して切断刃取付板８を常時矢印方向の上方向に付勢している。
【００３５】
上記のように、切断刃取付板８をコイルバネ３１により不使用時の右側へ付勢し、板バネ３２により不使用時の上側へ付勢しているため、切断工程終了後に移動操作部８ｃから手を離すと、まず、板バネ３２で支持ピン８Ｐが縦溝１０ｂ内を上昇いた後、コイルバネ３２により支持ピン８Ｐが横溝１０ｃ内を右移動し、前記図１に示す不使用状態に自動復帰する。
【００３６】
本発明のテープ切断具はワイヤハーネス用として汎用されている手で千切れない織布テープの切断に好適に用いられるが、他のテープおよび他の用途に用いられるテープの切断具としても好適に用いられる。
また、テープ切断具の本体を左右対称に一対設けて結合する構成としているが、該構成に変えて、切断刃取付板８を移動自在には挟む部分だけ開口して、蓋で閉鎖して移動自在に介在させる構成としてもよい。
【符号の説明】
【００３７】
１  テープ切断具
１Ａ、１Ｂ  本体
２  環状把持部
３  支持部
４  切断刃移動保持部
５  テープ挿入アーム部
６  テープ切断空間
７  テープ挿入口
８  切断刃取付板
８ａ  縦板部
８ｂ  横板部
８ｃ  移動操作部
８ｐ  支持ピン
１０  ガイド溝
１０ｂ  縦溝
１０ｃ  横溝
１５  切断刃
２０  テープ
【図１】
2015070989.tif 000003
【図２】
2015070989.tif 000004
【図３】
2015070989.tif 000005
【図４】
2015070989.tif 000006
【図５】
2015070989.tif 000007
【図６】
2015070989.tif 000008
【図７】
2015070989.tif 000009
【図８】
2015070989.tif 000010
【図９】
2015070989.tif 000011